(57)【要約】【課題】  本発明は所定の日・時で、簡単に展示内容を変更して、飽きることなく絵画や写真等を楽しむことができる絵画等の展示装置を得るにある。【解決手段】  額縁と、この額縁内に収納された薄型のディスプレーと、このディスプレーに所定の日・時で変えることができる制御装置を備える映像記録媒体に記録された静止映像を表示させる映像装置とで絵画等の展示装置を構成している。【選択図】  図１
2006304852.tif 000002
【特許請求の範囲】
【請求項１】
額縁と、この額縁内に収納された薄型のディスプレーと、このディスプレーに所定の日・時で変えることができる制御装置を備える映像記録媒体に記録された静止映像を表示させる映像装置とからなることを特徴とする絵画等の展示装置。
【請求項２】
額縁と、この額縁内に収納された薄型のフィルム状液晶ディスプレーやシート状のディスプレーと、この薄型のフィルム状液晶ディスプレーやシート状のディスプレーに所定の日・時で変えることができる制御装置を備えるＳＤカード、ＤＶＤ、ＣＤ、スティック状のメモリー等の映像記録媒体に記録されている静止映像を表示させる映像装置とからなることを特徴とする絵画等の展示装置。
【発明の詳細な説明】
【技術分野】
【０００１】
本発明は絵画や写真等を展示する絵画等の展示装置に関する。
【背景技術】
【０００２】
従来、絵画や写真等の展示は現物を額縁に収納して行なっている。
【０００３】
このため、毎日異なる絵画を展示しようとすると大変な作業となり、あまり短い期間での変更はしずらいとともに、同じものを毎日見てもつまらないという欠点があった。
【特許文献１】特になし
【発明の開示】
【発明が解決しようとする課題】
【０００４】
本発明は以上のような従来の欠点に鑑み、所定の日・時で、簡単に展示内容を変更して、飽きることなく絵画や写真等を楽しむことができる絵画等の展示装置を提供することを目的としている。
【０００５】
また、本発明は使用者がデジカメで撮影した写真等も気軽に展示することができる絵画等の展示装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は額縁と、この額縁内に収納された薄型のディスプレーと、このディスプレーに所定の日・時で変えることができる制御装置を備える映像記録媒体に記録された静止映像を表示させる映像装置とで絵画等の展示装置を構成している。
【発明の効果】
【０００８】
以上の説明から明らかなように、本発明にあっては次に列挙する効果が得られる。
【０００９】
（１）額縁と、この額縁内に収納された薄型のディスプレーと、このディスプレーに所定の日・時で変えることができる制御装置を備える映像記録媒体に記録された静止映像を表示させる映像装置とで構成されているので、額縁内に収納されたディスプレーに映像記録媒体に記録されている静止映像を、映像装置で所定の日・時で変えて表示することができる。
したがって、飽きることなく額縁内のディスプレーに表示された映像を楽しむことができる。
【００１０】
（２）前記（１）によって、絵画や写真等の静止画像をディスプレーで表示するため、従来の絵画等の展示のように、展示交換に手数がかからず、容易に交換して楽しむことができる。
【００１１】
（３）前記（１）によって、映像記録媒体にデジカメのＳＤメモリーカード等を用いることにより、自分で撮影した映像でディスプレーに表示して楽しむことができる。
【００１２】
（４）請求項２も前記（１）〜（３）と同様な効果が得られるとともに、薄型のフィルム状液晶ディスプレーやシート状のディスプレーにより、従来から一般に使用されている額縁に収納して使用することができる。
【発明を実施するための最良の形態】
【００１３】
以下、図面に示す本発明を実施するための最良の形態により、本発明を詳細に説明する。
【００１４】
図１ないし図４に示す本発明を実施するための最良の第１の形態において、1は本発明の絵画等の展示装置で、この絵画等の展示装置1は額縁2と、この額縁2内に収納された薄型のフィルム状液晶ディスプレーやポスター用に開発されたシート状のディスプレー3と、この薄型のフィルム状液晶ディスプレーやシート状のディスプレー3に映像記録媒体4に記録された静止映像を表示させる映像装置5とで構成されている。
【００１５】
前記映像装置５は前記映像記録媒体４であるデジカメのＳＤカード、ＤＶＤ、ＣＤ、スティック状のメモリー等のいずれか、あるいはこれらの複数個からの映像を薄型のフィルム状液晶ディスプレーやシート状のディスプレー３に表示でき、かつ日・時を設定して薄型のフィルム状液晶ディスプレーやシート状のディスプレー３に表示する映像を任意に変えることができる制御装置６を備えたものが使用される。
【００１６】
上記構成の絵画等の展示装置１は映像記録媒体４に記録された静止映像を映像装置５で薄型のフィルム状液晶ディスプレーやシート状のディスプレー３に表示することができるとともに、該薄型のフィルム状液晶ディスプレーやシート状のディスプレー３に表示される静止映像は、映像装置５の制御装置６で毎日、所定時間毎等のように交換して表示することができる。
[発明を実施するための異なる形態]
【００１７】
次に、図５ないし図１０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図５ないし図７に示す本発明を実施するための第２の形態において、前記本発明を実施するための最良の第１の形態と主に異なる点は、液晶やプラズマ等の薄型ディスプレー３Ａを用いた点で、このような薄型ディスプレー３Ａを用いて構成した絵画等の展示装置１Ａにしても、前記本発明を実施するための最良の第１の形態と同様な作用効果が得られる。
【００１９】
図８ないし図１０に示す本発明を実施するための第３の形態において、前記本発明を実施するための第２の形態と主に異なる点は、薄型ディスプレー３Ａの前面のフレーム７を額縁形状にした点で、このように構成した絵画等の展示装置１Ｂにしても、前記本発明を実施するための第２の形態と同様な作用効果が得られる。
【産業上の利用可能性】
【００２０】
本発明は絵画等の展示装置を製造する産業で利用される。
【図面の簡単な説明】
【００２１】
【図１】本発明を実施するための最良の第１の形態の正面図。
【図２】本発明を実施するための最良の第１の形態の側面図。
【図３】本発明を実施するための最良の第１の形態の概略ブロック図。
【図４】図１の４−４線に沿う断面図。
【図５】本発明を実施するための第２の形態の正面図。
【図６】本発明を実施するための第２の形態の側面図。
【図７】図６の７−７線に沿う断面図。
【図８】本発明を実施するための第３の形態の正面図。
【図９】本発明を実施するための第３の形態の側面図。
【図１０】図９の１０−１０線に沿う断面図。
【符号の説明】
【００２２】
１、１Ａ、１Ｂ：絵画等の展示装置、
２：額縁、                                        ３、３Ａ：ディスプレー、
４：映像記録媒体、                                    ５：映像装置、
６：制御装置、                                ７：フレーム。
【図１】
2006304852.tif 000003
【図２】
2006304852.tif 000004
【図３】
2006304852.tif 000005
【図４】
2006304852.tif 000006
【図５】
2006304852.tif 000007
【図６】
2006304852.tif 000008
【図７】
2006304852.tif 000009
【図８】
2006304852.tif 000010
【図９】
2006304852.tif 000011
【図１０】
2006304852.tif 000012